(57)【特許請求の範囲】
【請求項１】
複数の図柄が変動し、変動した図柄が停止したときの各図柄の配列に応じて所定の遊技媒体が払い出される遊技機であって、
遊技状態に応じて変動する所定の演出画像を表示する演出表示装置を備え、
前記演出表示装置が、
第１の画像を表示する第１表示領域と、第２の画像を表示する前記第１表示領域と異なる第２表示領域を有する表示手段と、
前記第１の画像を、前記第２表示領域の遊技機背面側に反射させる反射手段と、を備え、
前記反射手段が、
前記第１の画像を、所定方向に反射させる第１ミラーと、
前記第１ミラーで反射された第１の画像を、前記第２表示領域の遊技機背面側に反射させる第２ミラーと、を備え、
前記第１ミラーと第２ミラーが、対向する反射面がほぼ直交するように前記表示手段の遊技機背面側に三角形状に配設され、
前記第２表示領域に表示される第２の画像と、前記第２表示領域に反射された第１の画像が、当該第２表示領域の遊技機正面側から視認可能な単一画像として表示されることを特徴とする遊技機。
【請求項２】
前記反射手段が、前記表示手段の遊技機背面側に三角形状に配置される第１及び第２ミラーが、ほぼＷ字状に複数配設された請求項１記載の立体表示装置。
【発明の詳細な説明】
【技術分野】
【０００１】
本発明は、スロットマシンやパチンコ機に代表される遊技機等に備えられる表示装置に関し、特に、奥行き位置が異なって見える複数の二次元像を重ねて表示することにより、三次元的な立体画像を表示する立体表示装置及びこの立体表示装置を備えた遊技機に関する。
【背景技術】
【０００２】
従来、パチンコ機やスロットマシン等の遊技機では、遊技の進行等に応じて画像が変動する演出表示を行う液晶パネル等からなる表示装置が設けられており、遊技者の遊技意欲を刺激してきた。
遊技機メーカは、遊技者の遊技意欲を刺激する表示内容やデザインなどに様々な工夫を凝らすことによって、遊技機の魅力向上を図ってきた。
【０００３】
ここで、このような演出表示等に用いられる表示装置として、三次元的な立体画像を表示する各種の表示装置が提案されている。
例えば、特許文献１には、奥行き位置の異なる複数の表示面にそれぞれ二次元像を表示して、三次元立体像を生成する三次元表示装置が提案されている。
この特許文献１の三次元表示装置では、観察者から見て異なった奥行き位置にある複数の表示面に対して、表示対象物体を観察者の視線方向から射影した二次元像を生成し、生成された二次元像の輝度を表示面毎に各々独立に変化させて、生成された二次元像を複数の表示面に表示することで、三次元的な立体像を表示させるようになっている。
【０００４】
また、特許文献２には、液晶ディスプレイに表示される画像を反射する反射ミラー（全反射鏡）と、同じ表示画像を反射するとともに反射ミラーからの反射画像を透過するハーフミラーとを備えた画像表示装置が提案されている。
この特許文献２の画像表示装置によれば、反射ミラーを反射した画像を、ハーフミラーを反射した画像に合成して表示することで、単一の画像表示によって複数画像を合成した合成画像を生成し、これによって立体感のある画像を表示させるようになっている。
【０００５】
【特許文献１】特許第３０２２５５８号公報
【特許文献２】特許第３９７１３９４号公報
【発明の開示】
【発明が解決しようとする課題】
【０００６】
しかしながら、引用文献１に記載の三次元表示装置は、複数の二次元表示装置を必要とするため、装置が大型化するとともに、コストも増大してしまい、特に、二次元表示装置を奥行き方向に配設する構造から、奥行き方向の寸法が長大化するという問題があった。
このため、スロットマシンやパチンコ機のように、遊技機の内部や筐体内のスペースが限られ、また、コストダウンの要請も高い遊技機の表示装置に適用することは困難であった。
【０００７】
また、このように複数の表示装置の画像を合成する場合には、各表示装置の制御系が２系統となるため、表示装置間の同期を取る必要があり、また、表示画像のコントラスト等のばらつきを制御する必要もあった。
このため、さらなるコスト増を招来するおそれがあるとともに、遊技場（ホール）に多数設置される遊技機に適用した場合、遊技機毎に表示画像に差が生じるおそれもあった。
【０００８】
また、引用文献２に記載の遊技機の画像表示装置も、液晶ディスプレイに表示される単一の二次元画像を、複数のミラーとハーフミラーを装置の奥行き方向に配設する構造となっており、特許文献１の場合と同様に、画像表示装置自体の奥行き寸法が大きくなってしまい、奥行き寸法の長い設置スペースを確保する必要がある。
パチンコ機やスロットマシン等の遊技機は、一般に、高さ寸法や横幅寸法に比べると奥行き寸法が短いため、奥行き寸法の長い設置スペースを確保しようとすると、遊技機内の部品配置が大幅な制限を受けることになる。このため、この引用文献２記載の画像表示装置を遊技機に搭載しようとすれば、表示装置の奥行き寸法を遊技機の設置スペースに合わせて小さくするしかなく、そのようにすると、画像表示面自体が狭小なものとなってしまい、演出表示等として魅力に乏しいものになってしまうという問題があった。
【０００９】
本発明は、以上のような従来の課題を解決すべくなされたものであり、表示装置が大型化することなく、また、複雑な同期制御等を必要とすることなく、複数画像を合成して三次元立体画像を表示することができ、設置スペース等の自由度を向上させつつ、斬新で魅力溢れる演出表示等を低コストで実現することができる、特にスロットマシンやパチンコ機の演出表示装置や図柄変動表示装置等に好適な立体表示装置及びこの立体表示装置を備えた遊技機の提供を目的とする。
【課題を解決するための手段】
【００１０】
上記目的を達成するため本発明の立体表示装置は、第１の画像を表示する第１表示領域と、第２の画像を表示する前記第１表示領域と異なる第２表示領域を有する表示手段と、前記第１の画像を、前記表示手段の一面側に透過させる第１偏光板と、前記第２の画像を、前記表示手段の他面側に透過させる第２偏光板と、前記第１の画像を、前記第２表示領域の一面側に反射させる反射手段と、を備え、前記第２表示領域に表示される第２の画像と、前記第２表示領域に反射された第１の画像が、前記第２偏光板を介して、当該第２表示領域の他面側から視認可能な単一画像として表示される構成としてある。
【００１１】
具体的には、前記反射手段が、前記第１の画像を、所定方向に反射させる第１ミラーと、前記第１ミラーで反射された第１の画像を、前記第２表示領域の一面側に反射させる第２ミラーと、を備える構成としてある。
また、前記反射手段の第１ミラーと第２ミラーは、対向する反射面が直交するように配設された構成とすることが好ましい。
【００１２】
このような構成からなる本発明の立体表示装置によれば、表示手段を一枚の液晶パネル等で構成し、その液晶パネル等に表示される第１の画像及び第２の画像からなる複数画像を合成して三次元的立体画像を表示することができる。
第１の画像を反射して第２の画像に合成表示させる反射手段は、表示手段の後方（背面側）に三角形状に配設した２枚のミラー等で構成することができ、一枚の液晶パネルと２枚のミラーによって、立体表示装置を構成することができる。
２枚のミラーは、三角形状に配設されることで、奥行き寸法をミラーの長辺の長さより小さくすることができ、これを一枚の液晶パネルの背面側に配設することで、立体表示装置の奥行き寸法を可能な限り小さいものにすることができる。
また、第１ミラーと第２ミラーを、対向する反射面が直交するように配設することにより、第１の画像と第２の画像を平行に投影・表示することができ、奥行きの違いが鮮明となり、より鮮やかな立体画像を形成することができる。
【００１３】
このように、本発明によれば、一枚の液晶パネルと２枚のミラー部材というきわめてシンプルな構成によって合成画像を表示する立体表示装置を構成することができるので、表示装置のコストダウンを図ることができるとともに、表示装置全体は、奥行き方向の寸法を可能な限り小さくできる。
しかも、立体画像を表示する表示画面の大きさについては、特に制約を受けることがないので、任意の大きさとすることができ、表示装置を適用する遊技機等の大きさや設置スペース、表示内容等に応じて、任意の大きさの表示画面とすることができる。
これにより、設置スペース等の自由度を向上させつつ、斬新で魅力溢れる演出表示等を低コストで実現することが可能となり、特にスロットマシンやパチンコ機の演出表示装置や図柄変動表示装置等に好適な立体表示装置を提供することができる。
【００１４】
また、本発明の立体表示装置は、前記反射手段の第１ミラーが移動可能に配設された構成とすることができる。
このように、反射手段の第１ミラーを移動可能とすることにより、第１ミラーの移動に伴って、第１ミラーに反射する第１の画像を奥行き方向に移動させることが可能となる。
これにより、立体的かつ動的な画像表示が可能となり、本発明に係る小型軽量化された立体表示装置において、より魅力的な画像表示が実現できるようになる。
【００１５】
また、本発明の立体表示装置は、前記第１ミラーが複数に分割され、分割された少なくとも一のミラーが移動可能に配設される構成とすることができる。
このように、反射手段の第１ミラーを分割形成し、各ミラーを移動可能とすることにより、各ミラーの移動に伴って、各ミラーに反射される第１の画像を、それぞれ独立して奥行き方向に移動させることが可能となる。
これにより、より複雑で斬新な立体動画表示が可能となり、本発明に係る立体表示装置において、さらに魅力的な画像表示が実現できるようになる。
【００１６】
また、本発明の立体表示装置は、前記反射手段が、複数配設された構成とすることができる。
このような構成とすることにより、複数の反射手段によって、それぞれ異なる（あるいは同一の）画像を反射させて、単一の画像として表示させることができる。
これにより、より複雑できめの細かい立体画像の表示が可能となり、本発明に係る立体表示装置において、より魅力的な画像表示が実現できるようになる。
【００１７】
また、本発明の立体表示装置は、前記表示手段と前記反射手段の間に配設される、例えば凹レンズや凸レンズ等からなるレンズを備えた構成とすることができる。
また、本発明の立体表示装置は、前記反射手段の一部又は全部が、例えば凹面鏡や凸面鏡等の非平面鏡からなる構成とすることができる。
このような構成とすることにより、第２の画像に合成される第１の画像を、凹レンズや凸レンズ等のレンズ、あるいは凹面鏡、凸面鏡等の非平面鏡の作用により、拡大、縮小、変形、反転等させることができ、従来にはない斬新で魅力的な立体画像を生成することが可能となる。
【００１８】
また、本発明に係る立体表示装置では、前記表示手段が液晶パネルからなる構成とすることが好ましい。
このように、本発明の立体表示装置に用いる表示手段は、液晶パネルにより構成することが好ましい。
液晶パネルは、安価かつ小型軽量化された表示手段として最も普及しており、画面サイズも任意に選択でき、画面制御も容易に行うことができる。そこで、本発明の立体表示装置では、第１及び第２表示領域を備える表示手段として、液晶パネルを採用するようにしてある。これによって、本発明に係る立体表示装置に備えられる表示手段を安価かつ小型軽量化して実現することができ、特に低コスト化・省スペース化等が求められる遊技機や各種電子機器・装置に好適な立体表示装置を提供することができる。
【００１９】
そして、本発明に係る立体表示装置を備えた遊技機は、複数の図柄が変動し、変動した図柄が停止したときの各図柄の配列に応じて所定の遊技媒体が払い出される遊技機であって、遊技状態に応じて変動する所定の演出画像を表示する演出表示装置を備え、前記演出表示装置が、本発明に係る立体表示装置からなる構成としてある。
また、本発明に係る立体表示装置を備えた遊技機は、前記複数の図柄を変動表示する図柄変動表示装置を備え、前記図柄変動表示装置が、本発明に係る立体表示装置からなる構成とすることもできる。
【００２０】
このように、本発明の立体表示装置は、スロットマシンやパチンコ機の演出表示装置や図柄変動表示装置に適用することができる。
スロットマシンやパチンコ機の演出表示や図柄変動表示は、常に魅力的で新しい画像表示等が求められている。その一方で、スロットマシンやパチンコ機の筐体寸法・内部空間の大きさは限られており、長大な表示装置等を設置するスペースはなく、また、低コスト化の要請も厳しい。
そこで、本発明の立体表示装置を用いることで、小型軽量化され、かつ、魅力的で斬新な立体画像を表示可能な表示装置を低コストで実現できる遊技機の演出表示装置や図柄変動表示装置を提供することができる。
【発明の効果】
【００２１】
本発明の立体表示装置によれば、表示装置が大型化することなく、また、複雑な同期制御等を必要とすることなく、複数画像を合成して三次元立体画像を表示することができる。
これにより、設置スペース等の自由度を向上させつつ、斬新で魅力溢れる演出表示等を低コストで実現することが可能となり、特にスロットマシンやパチンコ機の演出表示装置や図柄変動表示装置等に好適な立体表示装置を提供することができる。
【発明を実施するための最良の形態】
【００２２】
以下、本発明に係る立体表示装置の好ましい実施形態について、図面を参照して説明する。
［第一実施形態］
まず、図１〜図５を参照して、本発明に係る立体表示装置の第一実施形態について説明する。
図１は、本発明の一実施形態にかかる立体表示装置の概略断面を示している。
図１において、本実施形態の立体表示装置１は、奥行き位置の異なる二つの表示面（第１表示面２１１及び第２表示面２２１）にそれぞれ二次元像（第１画像２１２及び第２画像２２２）を表示して、三次元的立体像を表示する装置である。
具体的には、立体表示装置１は、液晶パネル２、第１偏光板３１、第２偏光板３２、バックライト４、第１ミラー５１及び第２ミラー５２を備えている。
また、第１ミラー５１及び第２ミラー５２の底面側には光源５が備えられている。
【００２３】
液晶パネル２は、第１の画像を表示する第１表示領域２１と、第２の画像を表示する第１表示領域２１と異なる第２表示領域２２を有する表示手段である。
具体的には、本実施形態の液晶パネル２は、横長の矩形状に構成され、観察者１１から見て左側（図面右側）に第１表示領域２１を備え、観察者１１から見て正面（図面左側）に第２表示領域２２を有している。
本実施形態では、液晶パネル２の表示領域を２分割し、第１表示領域２１と第２表示領域２２を同じ形状で、かつ、同じ大きさとなるように設定してある。
なお、この液晶パネル２は、画像表示制御手段（図示せず）によって駆動される。画像表示制御手段としては、特に限定されるものではなく、公知の画像表示制御の手法を用いることができる。
【００２４】
第１表示領域２１は、第１表示面２１１に第１画像２１２を表示・射影する。
ここで、第１画像２１２は、液晶パネル２の第１表示領域２１中に表示され、第１ミラー５１及び第２ミラー５２によって反射され、液晶パネル２の第２表示領域２２に投影・表示される。
一方、第２表示領域２２は、第２画像２２２を第２表示面２２１に表示・射影する。
従って、第１画像２１２が射影される第１表示面２１１は、観察者１１から見て、第２画像２２２より奥行き方向の奥に位置するように見えるようになる。
なお、第２表示領域２２に投影される第１画像２１２は、第１ミラー５１及び第２ミラー５２によって反射されることにより、第１表示領域２１に表示された第１画像２１２と左右が反転した画像となる。従って、第１表示領域２１に表示する第１画像２１２は観察者１に見せたい画像と左右を反転させた画像を表示することになる。
【００２５】
図１に示すように、第１表示面２１１から第２表示面２２１までの距離をΔＬとし、第２表示面２２１から観察者１１までの距離をＬとする。距離ΔＬは、液晶パネル２の第１表示領域２１から照射された光が、第１ミラー５１及び第２ミラー５２に反射されて第２表示面２２１に到達するまでの距離である。
観察者１１から見ると、液晶パネル２の第２表示領域２２に表示される画像のうち、第２画像２２２は距離Ｌ、第１画像２１２は距離Ｌ＋ΔＬの奥行きをもって見えることになる。
【００２６】
液晶パネル２には第１及び第２偏光板３１，３２と、バックライト４が備えられている。
第１偏光板３１は、第１表示領域２１を覆うように、液晶パネル２の正面側（観察者１１側）の表面に貼り付けられている。この第１偏光板３１は、液晶パネル２の第１表示領域に表示される第１画像を、液晶パネル２の背面側（観察者１１と反対側）からのみ視認可能に透過させる偏光部材である。
第２偏光板３２は、第２表示領域２２を覆うように、同じく液晶パネル２の正面側の表面に貼り付けられている。この第２偏光板３２は、液晶パネル２の第２表示領域に表示される第２画像（及び反射された第１画像）を、液晶パネル２の正面側（観察者１１側）から視認可能に透過させる偏光部材である。
このような偏光板３１，３２を備えることで、第２表示領域２２に表示される第２画像２２２と、第２表示領域２２に反射された第１画像２１２が、第２偏光板３２を介して、第２表示領域２２の正面側から視認可能な単一画像として表示されることになる。
【００２７】
バックライト４は、第１偏光板３１を覆うように、第１偏光板３１の観察者１１側の表面に貼り付けられており、第１表示領域２１に表示される画像を鮮明に表示・視認できるようにする光源となっている。
なお、バックライト４の大きさや出力特性等は特に限定されるものではないが、通常、より鮮明な画像が視認できるように、高輝度のものを用いることが望ましい。
【００２８】
液晶パネル２の背面側（観察者１１と反対側）には、第１及び第２ミラー５１，５２からなる反射手段が配設されている。
第１ミラー５１は、液晶パネル２の第１表示領域２１からの光を直角に反射する全反射鏡で構成され、本実施形態では、図１に示すように、液晶パネル２に対して４５°の角度となるように設けられている。
第２ミラー５２は、第１ミラー５１からの反射光を直角に反射する全反射鏡で構成され、第１ミラー５１に対して直交する９０°の角度となるように設けられている。そして、第２ミラー５２からの反射光が、液晶パネル２の第２表示領域２２に照射されるようになっている。
このように第１ミラー５１及び第２ミラー５２を直交するように配設することで、２枚のミラーが液晶パネル背面側で三角形状に配設されることになり、奥行き寸法をミラーの長辺の長さより小さくすることができ、立体表示装置の奥行き寸法を可能な限り小さいものにすることができる。
【００２９】
また、第１ミラー５１及び第２ミラー５２の底面側には光源５が配設され（後述する図４及び図５参照）、液晶パネル２の第２表示領域２２に投影・表示される画像が鮮明に表示・視認されるようになっている。
光源５は、液晶パネル２の第２表示領域２２の画像が鮮明に視認できるようになればどのような構成でもよく、例えば、ＬＥＤを面状に配設したり、一又は二以上のランプ等で構成することができる。
また、光源５は、上述したバックライト４と同様の大きさや出力特性等は特に限定されるものではないが、鮮明な画像が視認できるように、高輝度のものを用いることが望ましい。
【００３０】
ここで、本実施形態の立体表示装置１の奥行き寸法を、上述した引用文献２に記載の画像表示装置と対比して説明する。
まず、本実施形態の立体表示装置１の表示画面（第２表示面２２１）を正方形とした場合、図１に示す表示画面の横寸法及び縦寸法は、横寸法＝縦寸法＝Ｗ／２となる。この場合、立体表示装置１の横寸法（液晶パネル２全体の横寸法）はＷであり、縦寸法はＷ／２である。そして、立体表示装置１の奥行き寸法Ｄは、Ｄ＝Ｗ／２＋（液晶パネル２、第２偏光板３２及びバックライト４の厚さ）であり、ほぼＷ／２となる。
これに対し、引用文献２の画像表示装置において、表示画面を一辺がＷ／２の正方形とした場合、画像表示装置の横寸法、縦寸法及び奥行き寸法は、それぞれＷ／２、Ｗ／２及びＷとなり、奥行き寸法は本実施形態の立体表示装置１のほぼ倍の大きさとなる。
このように、立体表示装置１は、引用文献２の画像表示装置と比べると、横寸法（横寸法又は縦寸法のいずれか一方）が長くなるものの、奥行き寸法をほぼ半分に短縮することができる。従って、立体表示装置１は、高さ寸法又は横幅寸法に対して余裕があり、かつ、奥行き寸法に制限がある装置（例えば後述するスロットマシン１０）などに取り付ける場合に特に好適となる。
【００３１】
次に、以上のような構成からなる本実施形態の立体表示装置１における三次元的立体像の表示例について、図２を参照して説明する。
図２は、本実施形態に係る立体表示装置の各画像の概略拡大図であり、（ａ）は第２表示面の第２画像を、（ｂ）は第１表示面の第１画像を、（ｃ）は第１及び第２画像が合成された観察者が認識する三次元画像を示している。
まず、図２（ａ）に示すように、液晶パネル２の第２表示領域２２に大きなサイの絵が表示されると、この大きなサイの絵は、第２表示面２１１に第２画像２１２として描写される。
【００３２】
一方、液晶パネル２の第１表示領域２１に小さなサイの絵が表示されると、この小さなサイの絵が、第１ミラー５１及び第２ミラー５２によって反射されて、図２（ｂ）に示すような小さなサイの絵が、第１表示面２１１に第１画像２１２として描写される。
なお、この第１画像２１２は、第１ミラー５１及び第２ミラー５２によって反射されることにより、第１表示領域２１に表示された第１画像２１２と左右が反転した画像となる。従って、第１表示領域２１に表示する第１画像２１２は観察者１に見せたい画像（図２（ｂ）に示す画像）と左右を反転させた画像を表示することになる。
【００３３】
そして、このような第１及び第２画像２１２、２２２が本立体表示装置１により合成され、観察者１１からは、図２（ｃ）に示すような三次元画像２００として視認されることになる。
この三次元画像２００は、第１表示面２１１に映る第１画像２１２と第２表示面２２１に映る第２画像２２２が合成されたものであり、第１表示面２１１が第２表示面２２１より距離ΔＬ（図１参照）だけ奥行き位置にあることによって、２匹のサイが手前と奥に位置する遠近感をもった画像として知覚・認識されるようになる。
【００３４】
また、液晶パネル２では、静止画だけでなく動画も表示することができ、例えば、奥側のサイが観察者１１に向かって走ってくるような動画を表示することもできる。この場合、奥側のサイの画像として、当初は図２（ｂ）に示すように第１表示面２１１に描写し、サイが観察者１１側に近づくにつれて、サイを大きく描写・表示し、ほぼ中間地点を通過した以降のサイの状態は、図２（ａ）に示すように第２画像２２２に描写することができる。
このようにすると、ほぼ中間地点を通過したサイは、観察者１１に近づくにつれて大きく描写され、臨場感や迫力のある画像表示が可能となる。
このように、本実施形態の立体表示装置１によれば、静止画のみならず、動画についても、三次元的な立体映像を表示することができる。
【００３５】
以上説明したように、本実施形態の立体表示装置１によれば、一枚の液晶パネル２に表示される第１画像及び第２画像からなる複数画像を合成して三次元的立体画像を表示することができる。
第１画像を反射して第２画像に合成表示させる反射手段は、表示手段の後方（背面側）に三角形状に配設した２枚のミラー５１，５２で構成することができ、一枚の液晶パネル２と２枚のミラー５１，５２によって、立体表示装置１を構成することができる。
２枚のミラー５１，５２は、三角形状に配設されることで、奥行き寸法をミラーの長辺の長さより小さくすることができ、これを一枚の液晶パネル２の背面側に配設することで、立体表示装置１の奥行き寸法を可能な限り小さいものにすることができる。
【００３６】
従って、本実施形態の立体表示装置１によれば、一枚の液晶パネルと２枚のミラー部材というきわめてシンプルな構成によって合成画像を表示する立体表示装置を構成することができるので、表示装置のコストダウンを図ることができるとともに、表示装置全体は、奥行き方向の寸法を可能な限り小さくできる。
しかも、立体画像を表示する表示画面の大きさについては、特に制約を受けることがないので、任意の大きさとすることができ、表示装置を適用する遊技機等の大きさや設置スペース、表示内容等に応じて、任意の大きさの表示画面とすることができる。
これにより、設置スペース等の自由度を向上させつつ、斬新で魅力溢れる演出表示等を低コストで実現することが可能となり、特にスロットマシンやパチンコ機の演出表示装置や図柄変動表示装置等に好適な立体表示装置を提供することができる。
【００３７】
［第二実施形態］
次に、本発明の第二実施形態に係る立体表示装置を備えた遊技機について図３〜図５を参照して説明する。
図３は、本発明の第二実施形態に係る立体表示装置付き遊技機の概略正面図であり、図４は、同じく概略上面図、図５は、同じく概略側面図である。
これらの図に示すように、本実施形態に係る遊技機はスロットマシン１０であり、このスロットマシン１０に、上述した第一実施形態で示した立体表示装置１が搭載された構成となっている。
具体的には、本実施形態のスロットマシン１０では、正面側上部に、ゲームの進行や遊技状態に応じて所定の演出表示を行う表示手段が備えられるようになっており、この演出表示手段として、上述した第一実施形態で示した立体表示装置１が備えられるようになっている。
また、この立体表示装置１の底面側には、液晶パネル２の第２表示領域２２に投影・表示される画像を鮮明に表示・視認させるために、光源５が配設してある（第一実施形態参照）。
【００３８】
スロットマシン１０は、正面側上部に、立体表示装置１が設けられている。
一般に、スロットマシン１０は、高さ寸法、横幅寸法及び奥行き寸法のうち、奥行き寸法が最も短くなっている。また、遊技場のスペースを有効活用する等を目的として、スロットマシンが将来的に薄型化されることもあり得るが、横幅寸法や高さ寸法については、特に小型化等の要請は少ない。
従って、スロットマシン１０は、高さ寸法及び横幅寸法が奥行き寸法に比べて余裕があることになる。
【００３９】
立体表示装置１は、上述した第一実施形態で示したように、例えば、表示画面（第２表示面２２１）を正方形とした場合、図１における表示画面の横寸法及び縦寸法は、横寸法＝縦寸法＝Ｗ／２となる。この場合、立体表示装置１の横寸法はＷであり、縦寸法はＷ／２である。また、立体表示装置１の奥行き寸法Ｄは、ほぼＷ／２となる。
従って、スロットマシン１０においては、余裕のある高さ方向及び横幅方向のスペースを活用して、立体表示装置１を搭載することができる。また、立体表示装置１を大型化する場合であっても、スロットマシン１０は、余裕のある高さ方向及び横幅方向のスペースを利用して、大型の立体表示装置１を搭載することができる。
【００４０】
以上説明したように、本実施形態では、スロットマシン１０においてスペース的に余裕のある高さ方向及び横幅方向の空間を有効利用して、本発明に係る立体表示装置１を表示手段として採用することができる。
スロットマシンの演出表示は、常に魅力的で新しい画像表示等が求められている。その一方で、スロットマシンの筐体寸法や内部空間の大きさは限られており、長大な表示装置等を設置するスペースはなく、また、低コスト化の要請も厳しい。
そこで、本発明に係る立体表示装置１を用いることで、小型軽量化され、かつ、魅力的で斬新な立体画像を表示可能な表示装置を低コストで実現できるスロットマシンを提供することができる。
また、このようにスロットマシン１０は、高さ方向及び横幅方向の空きスペースを有効利用することで、立体表示装置１を搭載するための設計の自由度を大幅に向上させることができ、また、製造やメンテナンスする際などの作業性を向上させることもできる。
【００４１】
［第三実施形態］
次に、本発明の立体表示装置の第三実施形態について、図６及び図７を参照しつつ説明する。
図６は、本発明の第三実施形態に係る立体表示装置の概略断面を示している。
同図に示すように、本実施形態の立体表示装置１ａは、上述した第一実施形態の立体表示装置１の変更実施形態であり、第一実施形態における第１及び第２ミラーからなる反射手段を複数（２つ）備えることを特徴としている。その他の構成部分については、第一実施形態とほぼ同様となっている。
【００４２】
具体的には、本実施形態の立体表示装置１ａは、液晶パネル２ａは、中央部分に一つの第２表示領域２２ａを備え、その第２表示領域２２ａの両側に、それぞれ第１表示領域２１ａ、２１ｂを備えている。
そして、この液晶パネル２ａの背面側には、各第１表示領域２１ａ、２１ｂに対応して、２組の第１及び第２ミラー５１ａ、５２ａ及び５１ｂ、５２ｂが、各ミラー同士が直交する、ほぼＷ字状に配設されている。
第１及び第２ミラー５１ａ、５２ａ及び５１ｂ、５２ｂの各組に対応して、一対の第１偏光板３１ａ、３１ｂ、一つの第２偏光板３２ａ、一対のバックライト４ａ、４ｂが備えられている。
【００４３】
本実施形態の液晶パネル２ａは、第一実施形態の場合と同様に、横長の矩形状に構成され、観察者１１から見て正面中央に第２表示領域２２ａを備えるとともに、第２表示領域２２ａの両側に、一対の第１表示領域２１ａ、２１ｂを有している。
各表示領域は、第２表示領域２２ａを左右方向に二等分した各部分と、各第１表示領域２１ａ、２１ｂが、それぞれ、同じ形状で、同じ大きさとなっている。
【００４４】
各第１表示領域２１ａ、２１ｂは、それぞれ、第１画像２１２ａ、２１２ｂを第１表示面２１１ａ、２１１ｂに射影する。具体的には、各第１画像２１２ａ、２１２ｂは、液晶パネル２ａの各第１表示領域２１ａ、２１ｂ上に表示・射影され、それぞれ対応する第１ミラー５１ａ、５１ｂ、及び第２ミラー５２ａ、５２ｂによって反射され、液晶パネル２ａ中央の第２表示領域２２ａに反射・射影される。
第２表示領域２２ａは、第２画像２２２ａを第２表示面２２１ａに表示・射影する。
従って、第１画像２１２ａ、２１２ｂが射影される第１表示面２１１ａ、２１１ｂは、観察者１１から見て、第２画像２２２ａより奥行き方向の奥に位置するように見えるようになる。
【００４５】
図６に示すように、第１表示面２１１ａ、２１１ｂから第２表示面２２１ａまでの距離をΔＬａとし、第２表示面２２１ａから観察者１１までの距離をＬとする。距離ΔＬaは、液晶パネル２ａの第１表示領域２１（２１ａ、２１ｂ）から照射された光が、第１、第２ミラー５１、５２（５１ａ、５２ａ及び５１ｂ、５２ｂ）に反射されて第２表示面２２１ａに到達するまでの距離である。
観察者１１から見ると、液晶パネル２ａの第２表示領域２２ａに表示される画像のうち、第２画像２２２ａは距離Ｌ、第１画像２１２ａ、２１２ｂは距離Ｌ＋ΔＬａの奥行きをもって見えることになる。
【００４６】
以上のような構成からなる本実施形態の立体表示装置１ａでは、表示画面（第２表示面２２１ａ）を正方形とした場合、図６における表示画面（第２表示面２２１ａ）の横寸法及び縦寸法は、横寸法＝縦寸法＝Ｗ／２となる。この場合、立体表示装置１ａの横寸法がＷであり、縦寸法はＷ／２となる。
そして、立体表示装置１ａの奥行き寸法Ｄａは、Ｄａ＝Ｗ／４＋（液晶パネル２ａ、第２偏光板３２ａ及びバックライト４ａの厚さ）であり、ほぼＷ／４となる。
このように、液晶パネル２ａの表示領域を複数設けて、それに対応して第１、第２ミラー５１、５２を複数設けることで、装置の奥行き寸法を短くすることができ、本実施形態では、第一実施形態のおよそ半分の奥行き寸法を実現している。
【００４７】
次に、以上のような本実施形態の立体表示装置１ａで表示される三次元的立体像の表示例について、図７を参照して説明する。
図７は、本実施形態に係る立体表示装置１ａで表示される各画像の概略拡大図であり、（ａ）は第２表示面の第２画像を、（ｂ）は第１表示面の第１画像を、（ｃ）は観察者が認識する三次元画像を示している。
まず、図７（ａ）に示すように、液晶パネル２の中央の第２表示領域２２ａに大きなサイの絵が表示されると、この大きなサイの絵は、第２表示面２２１ａに第２画像２２２ａとして描写される。
一方、図７（ｂ）に示すように、液晶パネル２の一対の第２表示領域２１ａ、２１ｂに小さなサイの絵が表示される、この小さなサイの絵は、第２表示面２１１ａ、２１１ｂに、それぞれ第２画像２１２ａ、２１２ｂとして描写される。
【００４８】
そして、このような第１及び第２画像２１２ａ、２１２ｂ及び２２２ａが本立体表示装置１により合成されると、観察者１１からは、図７（ｃ）に示すような三次元画像２００ａとして視認されることになる。
この三次元画像２００は、第１表示面２１１ａ、２１１ｂに映る第１画像２１２ａ、２１２ｂと第２表示面２２１ａに映る第２画像２２２ａが合成されたものであり、第１表示面２１１ａ、２１１ｂが第２表示面２２１ａより距離ΔＬａ（図７参照）だけ奥行き位置にあることによって、２匹のサイが手前と奥に位置する遠近感をもった画像として知覚・認識されるようになる。
【００４９】
以上説明したように、本実施形態の立体表示装置１ａによれば、立体表示装置１と比べて、奥行き寸法をさらにほぼ半分に短縮することができる。
従って、立体表示装置１ａは、高さ寸法又は横幅寸法に対して余裕があり、かつ、奥行き寸法に制限がある装置（例えば、後述するスロットマシン１０）などに取り付ける際に有利性を発揮することができる。
【００５０】
［第四実施形態］
次に、本発明の立体表示装置の第四実施形態について、図８及び図９を参照しつつ説明する。
図８は、本発明の第四実施形態に係る立体表示装置の概略断面を示している。
同図に示すように、本実施形態の立体表示装置１ｂは、上述した第一実施形態の立体表示装置１の変更実施形態であり、第一実施形態における第１ミラー５１を移動可能に配設したことを特徴としている。その他の構成部分については、第一実施形態とほぼ同様となっている。
【００５１】
具体的には、本実施形態では、本発明に係る反射手段を構成する第１ミラー５１ｃ及び第２ミラー５２を備えるとともに、第１ミラー５１ｃを、液晶パネル２ｃの背面に沿って平行移動可能に構成してある。
また、液晶パネル２ｃは、第１ミラー５１ｃの移動範囲に対応して、横方向の寸法Ｗｂを第一実施形態の寸法Ｗより大きく形成してあり、第１ミラー５１ｃの移動可能範囲まで第１表示領域２１ｃを大きくしてある。対応して第１偏光板３１ｃ、バックライト４ｃも第１表示領域２１ｃと同様の範囲まで大きく形成してある。
【００５２】
ここで、第１ミラー５１ｃを平行移動させる手段としては、特に図示しないが、例えば、ガイドレールやボールねじ、ステッピングモータ等によって構成することができる。
このように第１ミラー５１ｃを移動可能とすることにより、第１ミラー５１ｃに反射する第１画像２１２ｃを奥行き方向に移動させることができる。
すなわち、図８に示すように、第１ミラー５１ｃによって投影される第１表示面２１１ｃ（第１表示面２１１ｃ〜２１１ｃ´）は、観察者１１から見て第２画像２２２より奥行きに位置して見えるようになり、かつ、第２表示面２２１までの奥行き方向の距離が、ΔＬ〜ΔＬｂの範囲で変動することになる。
【００５３】
以下、本実施形態の立体表示装置１ｂで表示される三次元的立体像の表示例について、図９を参照しつつ説明する。
図９は、本実施形態にかかる立体表示装置の第二応用例の各画像の概略拡大図であり、（ａ）は距離ΔＬｂにおける第１表示面の第１画像を、（ｂ）は距離ΔＬにおける第１表示面の第１画像を、（ｃ）は観察者が認識する三次元画像を示している。
まず、図９（ａ）に示すように、液晶パネル２の第１表示領域２１ｃにサイの絵が表示されると、このサイの絵は、第１表示面２１１ｃ’に第１画像２１２ｃとして描写される。
【００５４】
このとき、第１ミラー５１ｃは、図８の破線で示す位置にあり、第１表示面２１１ｃ´から第２表示面２２１までの距離はΔＬｂとなる。
続いて、この状態から第１ミラー５１ｃを、液晶パネル２ｃの背面に沿ってパネル中央側（図面左側）に平行移動させると、この第１ミラー５１ｃの移動に伴って、第１表示領域２１ｃのサイの画像が、奥行き方向から前方に向かって移動する。このときの画像は、図９（ｂ）に示すように、第１表示面２１１ｃに第１画像２１２ｃとして描写される。
このとき、第１ミラー５１ｃは、図８の実線で示す位置にあり、第１表示面２１１ｃから第２表示面２２１までの距離はΔＬである。
【００５５】
そして、このような第１及び第２画像２１２ａ、２１２ｂ及び２２２ａが本立体表示装置１により合成されると、観察者１１からは、図７（ｃ）に示すような三次元画像２００ａとして視認されることになる。
この三次元画像２００は、第１表示面２１１ｃ’〜２１１ｃに映る第１画像２１２ｃ’〜２１２ｃと第２表示面２２１に映る第２画像２２２が合成されたものであり、第１表示面２１１ｃ’〜２１１ｃが第２表示面２２１より距離ΔＬｂ〜ΔＬ（図７参照）だけ奥行き位置が変動することによって、２匹のサイが手前と奥に位置する遠近感をもって、かつ、動的に表示される画像として知覚・認識されるようになる。
なお、第１ミラー５１ｃの動作を上記と逆にすることで、奥側のサイが遠ざかる画像とすることができ、また、第１ミラー５１ｃの往復移動を繰り返すことで、奥側のサイを細かく移動させることができるようになる。
【００５６】
以上説明したように、本実施形態の立体表示装置１ｂによれば、反射手段を構成する第１ミラー５１ｃを移動可能とすることで、第１ミラー５１ｃの移動に伴って、第１ミラー５１ｃに反射する第１画像を奥行き方向に移動させることができるようになる。
これにより、立体的かつ動的な画像表示が可能となり、小型軽量化された立体表示装置１ｂにおいて、より魅力的で斬新な立体画像を表示することができる。
【００５７】
［第五実施形態］
次に、本発明の立体表示装置の第五実施形態について、図１０を参照して説明する。
図１０は、本発明の第五実施形態に係る立体表示装置の概略断面を示している。
同図に示すように、本実施形態の立体表示装置１ｃは、上述した第四実施形態の立体表示装置１ｂ（図８参照）の変更実施形態であり、第四実施形態における移動可能な第１ミラー５１ｃを分割構成し、各分割部分が独立して移動可能としたことを特徴としている。その他の構成部分については、第四実施形態とほぼ同様となっている。
【００５８】
具体的には、本実施形態の反射手段を構成する第１ミラー５１ｄは、上述した第四実施形態に係る第１ミラー５１ｃと同様、液晶パネル２ｄの背面に沿って平行移動可能に構成してある。
また、本実施形態でも、液晶パネル２ｄは、第１ミラー５１ｄの移動範囲に対応して、横方向の寸法Ｗｂを第一実施形態の寸法Ｗより大きく形成してあり、第１ミラー５１ｄの移動可能範囲まで第１表示領域２１ｄを大きくしてある。対応して第１偏光板３１ｄ、バックライト４ｄも第１表示領域２１ｄと同様の範囲まで大きく形成してある。
さらに、本実施形態では、第１ミラー５１ｄを垂直方向に３分割しており、分割構成された各ミラー（右側５１１、中央５１２、左側５１３）が、それぞれ独立して移動可能となっている。
なお、第１ミラー５１ｄの平行移動手段としては、第四実施形態の場合と同様、例えば、ガイドレールやボールねじ、ステッピングモータ等によって構成することができる。
【００５９】
このように第１ミラー５１ｄを分割構成し、かつ、各分割ミラーをそれぞれ移動可能とすることにより、第四実施形態の場合と同様に、第１ミラー５１ｄに反射する第１画像を奥行き方向に移動させることができ、さらに、各分割ミラー単位で、第１画像を奥行き方向に移動させることが可能となり、よりきめの細かい動画表示が行えるようになる。
本実施形態では、液晶パネル２ｃの第１表示領域２１ｄを、第１ミラー５１ｄの分割構成に対応させて３つの領域に分割し、それぞれ、独立した画像を表示させるようにしてある。
【００６０】
具体的には、液晶パネル２ｄの第１表示領域２１ｄは、３分割された各表示領域に第１画像を表示し、第１ミラー５１ｄによって、第１画像（右側第１画像６２１、中央第１画像６２２及び左側第１画像６２３）を第１表示面（第１表示面２２１ｃ）に表示・射影する。
ここで、第１画像は、図１１（ｂ）に示すように、縦方向に細長い三つの画像（右側第１画像６２１、中央第１画像６２２及び左側第１画像６２３）からなり、それぞれの画像が、液晶パネル２ｄ上の第１表示領域２１ｄに表示される。これら三つの画像は、それぞれ右側第１ミラー５１１、中央第１ミラー５１２及び左側第１ミラー５１３によって反射され、これらの反射された画像が、さらに、第２ミラー５１によって反射され、第２画像２２１と合成される。
【００６１】
このように、本実施形態では、第１ミラー５１ｄを三つに分割し、各ミラー５１１、５１２、５１３をそれぞれ制御する構成とすることで、合成された一つの三次元画像２００において、遠近感の異なる、あるいは、各画像が独立して移動する三次元立体画像を表示させることができる。
これにより、立体的かつきめ細かい動きの動画表示が可能となり、より魅力的で斬新な立体画像を表示することができる。
【００６２】
［第六実施形態］
さらに、本発明の立体表示装置の第六実施形態について、図１１を参照して説明する。
図１１は、本発明の第六実施形態に係る立体表示装置の概略断面を示している。
同図に示すように、本実施形態の立体表示装置１は、上述した第一実施形態の立体表示装置１の変更実施形態であり、表示手段と反射手段の間に配設されるレンズを備えたり（図１１（ａ）参照）、反射手段の一部又は全部を、非平面鏡により構成する（図１１（ｂ）参照）ものである。その他の構成部分については、第一実施形態と同様となっている。
【００６３】
具体的には、まず、図１１（ａ）に示す立体表示装置１は、表示手段となる液晶パネル２と反射手段となる第２ミラー５２の間、すなわち、液晶パネル２の第２表示領域２２の背面側に、レンズ６を配設してある。
レンズ６は、例えば１又は２以上の凹レンズや凸レンズからなり、第１ミラー５１と第２ミラー５２で反射された第１画像を拡大、縮小等できるレンズによって構成される。図１１（ａ）には、一枚の凸レンズからなるレンズ６の例を示している。
このような構成とすることにより、第２の画像に合成される第１の画像を、凹レンズや凸レンズの作用により、拡大、縮小、変形、反転等させることができ、従来にはない斬新で魅力的な立体画像を生成することが可能となる。
【００６４】
また、図１１（ｂ）に示す立体表示装置１は、反射手段となる第１ミラー５１と第２ミラー５２を、非平面鏡により構成してある。
第１及び第２ミラー５１、５２を構成する非平面鏡は、例えば凹面鏡や凸面鏡からなり、第１ミラー５１と第２ミラー５２のうち、一部又は全部を非平面鏡で構成するようにする。図１１（ｂ）には、第１及び第２ミラー５１、５２の双方を凹面鏡で構成した例を示している。
このような構成とすることにより、図１１（ａ）で示したレンズ６を備える場合と同様、第２の画像に合成される第１の画像を、凹面鏡や凸面鏡の作用により、拡大、縮小、変形、反転等させることができ、従来にはない斬新で魅力的な立体画像を生成することが可能となる。
なお、図１１（ａ）で示すレンズ６を備えた構成と、図１１（ｂ）で示す凹面鏡や凸面鏡からなる第１及び第２ミラー５１、５２を組み合わせることも可能である。
【００６５】
以上、本発明の立体表示装置及びこの立体表示装置を備えた遊技機の好ましい実施形態について説明したが、本発明に係る立体表示装置は、上述した実施形態にのみ限定されるものではなく、本発明の範囲で種々の変更実施が可能であることは言うまでもない。
例えば、上述した実施形態では、本発明の立体表示装置がスロットマシンの演出表示装置に使用される場合を例にとって説明したが、本発明の立体表示装置は、演出表示装置のみに限定されるものではなく、例えば、スロットマシンのリール（回胴）やパチンコ機における変動図柄を表示する表示装置としても使用することができる。
【００６６】
図１２及び図１３に、本発明の立体表示装置において、スロットマシンのリール図柄を変動表示させる場合の一例を示す。
図１２に示すように、上述した液晶パネル２の第２表示領域２２には、スロットマシンの３つのリールの上中下段の３個の図柄のうち、中段の図柄のみを示す第２画像２２２を表示させる（図１２（ａ）参照）。
一方、液晶パネル２の第１表示領域２１には、上段と下段の図柄を示す第１画像を表示させる（図１２（ｂ）参照）。
これら第１及び第２画像を、本発明の立体表示装置１によって合成表示すると、図１３に示すようなスロットマシンのリール図柄を表示させることができる。
【００６７】
そして、第１及び第２画像を、それぞれ変動・停止させることで、回転して変動するリール図柄を再現表示することができる。
このとき、第２表示領域２２の第２画像として表示されるリール中段の図柄は、第１表示領域２１の第１画像として表示されるリール上段・下段の図柄よりも、奥行き方向の手前側により大きく表示されるので、中段の図柄が観察者にとってより見えやすくなり、従来には存在しない斬新な図柄変動表示を提供できるとともに、中段の図柄について狙い打ち（目押し）がし易くなるという効果もある。
【００６８】
また、上述した実施形態では、本発明の立体表示装置が備えられる遊技機として、スロットマシンを例にとって説明したが、本発明が適用可能な遊技機としては、特にスロットマシンに限定されるものではなく、演出表示装置や図柄変動表示装置等を備えた遊技機であれば、遊技機の種類や設置態様，設置数等は特に限定されず、どのような遊技機に対しても適用することができる。
一般に、この種の遊技機としては、スロットマシンやパチンコ機の他、例えば、アレンジボール機，雀球機等、玉やコイン等の遊技媒体を使用して遊技を行う各種の遊技機があり、これらの遊技機がどのような態様等で使用・設置される場合であっても、本発明の立体表示装置の適用対象とすることができる。
【００６９】
また、スロットマシンやパチンコ機等の遊技機に限られず、例えば、ゲームセンター等に設置される種々のゲーム機にも広く適用することが可能である。
また、上記実施形態では、本発明に係る反射手段として、全反射鏡からなるミラーを用いる構成としてあるが、本発明の反射手段としては全反射鏡に限定されるものではない。例えば、上述した第１ミラー及び第２ミラーの全部又は一部を、表示画像を反射及び透過可能なハーフミラーにより構成することもできる。
【産業上の利用可能性】
【００７０】
本発明は、ゲームの進行等に応じて変動する画像・映像を表示する演出表示装置や図柄変動表示装置等を備えるスロットマシンやパチンコ機等の遊技機の表示装置に好適に利用することができる。
【図面の簡単な説明】
【００７１】
【図１】本発明の第一実施形態に係る立体表示装置の概略断面を示している。
【図２】本発明の第一実施形態に係る立体表示装置で表示される各画像の概略拡大図であり、（ａ）は第１表示面の第１画像を、（ｂ）は第２表示面の第２画像を、（ｃ）は第１及び第２画像を合成して表示される観察者が認識する三次元画像を示している。
【図３】本発明の第二実施形態に係る立体表示装置を備えた遊技機の概略正面図を示している。
【図４】本発明の第二実施形態に係る立体表示装置を備えた遊技機の概略上面図を示している。
【図５】本発明の第二実施形態に係る立体表示装置を備えた遊技機の概略側面図を示している。
【図６】本発明の第三実施形態に係る立体表示装置の概略断面を示している。
【図７】本発明の第三実施形態に係る立体表示装置の各画像の概略拡大図であり、（ａ）は第１表示面の第１画像を、（ｂ）は第２表示面の第２画像を、（ｃ）は第１及び第２画像を合成して表示される観察者が認識する三次元画像を示している。
【図８】本発明の第四施形態に係る立体表示装置の概略断面を示している。
【図９】本発明の第四実施形態に係る立体表示装置で表示される各画像の概略拡大図であり、（ａ）は距離ΔＬｂにおける第２表示面の第２画像を、（ｂ）は距離ΔＬにおける第２表示面の第２画像を、（ｃ）は第１及び第２画像を合成して表示される観察者が認識する三次元画像を示している。
【図１０】本発明の第五実施形態に係る立体表示装置の概略断面を示している。
【図１１】本発明の第六実施形態に係る立体表示装置の概略断面であり、（ａ）は表示手段と反射手段の間にレンズを配設した場合を、（ｂ）は第１及び第２ミラーを非平面鏡により構成した場合を示している。
【図１２】本発明の他の応用例を表示される各画像の概略拡大図であり、（ａ）は第２表示面の第２画像を、（ｂ）は第１表示面の第１画像を示している。
【図１３】図１２に示す第１及び第２画像を合成して表示される観察者が認識する三次元画像を示している。
【符号の説明】
【００７２】
１  立体表示装置
２  液晶パネル
４  バックライト
２１  第１表示領域
２２  第２表示領域
３１  第１偏光板
３２  第２偏光板
５１  第１ミラー
５２  第２ミラー
２００  三次元画像
２１１  第１表示面
２１２  第１画像
２２１  第２表示面
２２２  第２画像
【図１】
0005282248.tif 000002
【図２】
0005282248.tif 000003
【図３】
0005282248.tif 000004
【図４】
0005282248.tif 000005
【図５】
0005282248.tif 000006
【図６】
0005282248.tif 000007
【図７】
0005282248.tif 000008
【図８】
0005282248.tif 000009
【図９】
0005282248.tif 000010
【図１０】
0005282248.tif 000011
【図１１】
0005282248.tif 000012
【図１２】
0005282248.tif 000013
【図１３】
0005282248.tif 000014